(57)【要約】【課題】背凭れ部に連動させて第二足載台を突出させると共に足載台を任意或いは連動させて突出させ、人体脚部の脛部から足先部間や人体背部から足先部間の広範囲に亘る施療を選択実施できる二重足載台を備えた施療機を提供する。【解決手段】椅子１ａの座部１０ａ前部で回動出没可能に配備された足載台２ａと、該足載台２ａを跨いで座部１０ａ前部下方床面から座部１０ａと一定間隔を存した前方へ常時載置面が上面である状態で出没可能な第二足載台３ａとにマッサージ手段を配設すると共に、座部１０ａ後部で起伏自在に配設された背凭れ部１２ａを備え、これら足載台２ａや第二足載台３ａに出没機構を介設して、足載台２ａと第二足載台３ａを各々独立して出没可能に構成する。また、背凭れ部１２ａと第二足載台３ａ間に連動機構を介設して、背凭れ部１２ａの起伏に連動して第二足載台３ａ或いはこれと足載台２ａが同時に出没するよう構成する。【選択図】      図６
2005058274.tif 000002
【特許請求の範囲】
【請求項１】
座部前部で回動出没可能に配備された足載台と、該足載台を跨いで座部前部下方床面から座部と一定間隔を存した前方へ常時載置面が上面である状態で出没可能な第二足載台と、座部後部で起伏自在に配設された背凭れ部とを備えた椅子であって、該椅子の足載台及び第二足載台にマッサージ手段を配設すると共に、これらを適宜に出没させる出没機構を介設して、足載台と第二足載台を各々独立して出没させる事ができるよう構成した事を特徴とする二重足載台を備えた施療機。
【請求項２】
座部前部で回動出没可能に配備された足載台と、該足載台を跨いで座部前部下方床面から座部と一定間隔を存した前方へ常時載置面が上面である状態で出没可能な第二足載台と、座部後部で起伏自在に配設された背凭れ部とを備えた椅子であって、該椅子の足載台及び第二足載台にマッサージ手段を配設すると共に、前記背凭れ部と第二足載台との間に連動機構を介設して、背凭れ部の起伏に連動して第二足載台が出没するよう構成した事を特徴とする二重足載台を備えた施療機。
【請求項３】
前記足載台と第二足載台は、各々が退没状態で直交状態となり、各々が突出状態で一直線状態となるよう出没するよう構成したことを特徴とする請求項１又は請求項２記載の二重足載台を備えた施療機。
【請求項４】
前記第二足載台は、最退没状態で座部下面に収納するよう構成したことを特徴とする請求項１又は請求項２記載の二重足載台を備えた施療機。
【請求項５】
前記足載台と第二足載台との間に連繋機構を介設して、足載台と第二足載台とが共に連繋して出没するよう構成した事を特徴とする請求項１又は請求項２記載の二重足載台を備えた施療機。
【請求項６】
前記背凭れ部と第二足載台との間に連繋機構を介設して、前記背凭れ部の起伏に連動して足載台と第二足載台とが共に連繋して出没するよう構成した事を特徴とする請求項２記載の二重足載台を備えた施療機。
【請求項７】
前記第二足載台の基部にこれを足載台方向に回動し得る回動軸部を備えると共に、該回動軸部に足載台との回動状態を係止する回動係止部を設け、第二足載台の基部での回動がバネ制御されている事を特徴とする請求項１乃至請求項６記載の二重足載台を備えた施療機。
【請求項８】
前記背凭れ部に、適宜のマッサージ手段を任意に配設した事を特徴とする請求項１乃至請求項７記載の二重足載台を備えた施療機。
【発明の詳細な説明】
【０００１】
【産業上の利用分野】
本発明は、座部前方で出没可能な足載台を有する施療を行なう椅子型の施療機に係り、詳しくは、座部前部で出没可能な人体脚部の脛部を主に施療するための足載台と、人体脚部の足先を施療するための第二足載台とを有する二重足載台を備えた二重足載台を備えた施療機に関するものである。
【０００２】
【従来の技術】
従来から、図２１と図２２に示したような人体脛部を主に施療するための足載台と、人体脛部下部から足先にかけて施療するための足先用足載台とを有する施療機が既に公開されており、該施療機は座部１０と該座部１０の左右に設けた各肘掛け部１１と該座部１０の後方に設けた背凭れ部１２から成る椅子１の、座部１０の前部で回動出没可能な人体脛部を主に施療するための足載台凹部２０を備えた足載台２と、該足載台２の前方にて回動可能に連結した人体脛部下部から足先にかけて施療するための足先用凹部３０を備えた足先用足載台３を配設しており、人体脚部の脛部から足先までの広範囲を施療することができる。
【特許文献１】特開２００２−２３８９６３号公報（第３頁左欄、図１と第４頁左欄図５）
【０００３】
【発明が解決しようとする課題】
ところで、上記のような人体脚部に対する施療を行なう機能を備えた施療機は、人体脛部を主に施療するための足載台を前方に突出する時、該足載台に一体的に連結されている人体脛部下部から足先にかけて施療するための足先用足載台は常に前方に連動することになり、そのため使用者の所望に応じて足載台や足先用足載台だけを上げて人体脛部や人体脛部下部から足先だけを施療することは行えず、さらに該足載台が垂下状態である時は、足先用足載台が常に該足載台の下部に位置することになり、そのため足先用足載台を使用しない時にも使用者の足先を足先用足載台の足先用凹部に載置せざるを得なくなり、その結果、足下に対しての狭小感をもたらしたり、不使用時にはこの足先用足載台が邪魔になったりするという問題があった。
【０００４】
そこで、本発明は、上記問題点を解消する為に成されたものであり、人体脚部である脛部から足先部までの広範囲において多様な施療形態にて施療を実施する事ができると共に、脛部と足先部の施療を必要に応じて任意に選択施行でき、足先への施療を必要としない場合にはこれを収納させて使用者の足下において開放感をもたらす事もできる二重足載台を備えた施療機を提供する事を目的とするものである。
【０００５】
【課題を解決するための手段】
すなわち、請求項１の本発明の二重足載台を備えた施療機は、座部前部で回動出没可能に配備された足載台と、該足載台を跨いで座部前部下方床面から座部と一定間隔を存した前方へ常時載置面が上面である状態で出没可能な第二足載台とを備え、座部後部には起伏自在に配設された背凭れ部とを備えた椅子であって、該椅子の足載台及び第二足載台にマッサージ手段を配設すると共に、これらを適宜に出没させる出没機構を介設して、足載台と第二足載台を各々独立して出没させる事ができるよう構成した事を特徴とするものである。
【０００６】
また、請求項２の本発明の二重足載台を備えた施療機は、座部前部で回動出没可能に配備された足載台と、該足載台を跨いで座部前部下方床面から座部と一定間隔を存した前方へ常時載置面が上面である状態で出没可能な第二足載台と、座部後部で起伏自在に配設された背凭れ部とを備えた椅子であって、該椅子の足載台及び第二足載台又は背凭れ部にマッサージ手段を配設すると共に、前記背凭れ部と第二足載台との間に連動機構を介設して、背凭れ部の起伏に連動して第二足載台が出没するよう構成した事を特徴とするものである。
【０００７】
更に、請求項３の本発明の二重足載台を備えた施療機は、前記足載台と第二足載台は、各々が退没状態で直交状態となり、各々が突出状態で一直線状態となるよう出没するよう構成したことを特徴とするものである。
【０００８】
更にまた、請求項４の本発明の二重足載台を備えた施療機は、前記第二足載台は、最退没状態で座部下面に収納するよう構成した事を特徴とするものである。
【０００９】
更に、請求項５の本発明の二重足載台を備えた施療機は、前記足載台と第二足載台との間に連繋機構を介設して、足載台と第二足載台とが共に連繋して出没するよう構成した事を特徴とするものである。
【００１０】
また、請求項６の本発明の二重足載台を備えた施療機は、前記背凭れ部と第二足載台との間に連繋機構を介設して、前記背凭れ部の起伏に連動して足載台と第二足載台とが共に連繋して出没するよう構成した事を特徴とするものである。
【００１１】
更にまた、請求項７の本発明の二重足載台を備えた施療機は、前記第二足載台の基部にこれを足載台方向に回動し得る回動軸部を備えると共に、該回動軸部に足載台との回動状態を係止する回動係止部を設け、第二足載台の基部での回動がバネ制御されている事を特徴とするものである。
【００１２】
更に請求項８の本発明の二重足載台を備えた施療機は、前記背凭れ部に、適宜のマッサージ手段を任意に配設した事を特徴とするものである。
【００１３】
本発明の二重足載台を備えた施療機は、上記のように構成することにより次のような作用をもたらす。
すなわち、請求項１記載の本発明の二重足載台を備えた施療機は、椅子の足載台及び第二足載台にマッサージ手段を配設すると共に、これらを適宜に出没させる出没機構を介設して、足載台と第二足載台を各々独立して出没させる事ができるようにしている為、足載台だけを出没させて頚部のみにマッサージ手段による施療を施すことができると共に、第二足載台だけを出没させて脹脛から足先間のみにマッサージ手段による施療を施すことができ、しかも足載台と第二足載台とを共に突出させることにより人体脚部である脛部から足先までの広範囲を施療することもでき、被施療者の所望する部位の脚部施療を施す事ができる。
【００１４】
また、請求項２記載の本発明の二重足載台を備えた施療機は、椅子の足載台及び第二足載台にマッサージ手段を内装すると共に、前記背凭れ部と第二足載台との間に連動機構を介設して、背凭れ部の起伏に連動して第二足載台が出没するようにしている為、背凭れ部の起伏角度に応じて第二足載台は最適な施療角度に自動的に突出させる事ができ、且つ、足載台は独立して出没させる事ができる為に背凭れ部の起伏に左右されずに足載台だけを出没させて頚部のみにマッサージ手段による施療を施す事もでき、しかも背凭れ部を倒伏させて、これに連動する第二足載台と足載台とを共に突出させることにより人体脚部である脛部から足先までの広範囲の脚部施療を自動的に施す事ができる。
【００１５】
更に、請求項３記載の本発明の二重足載台を備えた施療機は、前記足載台と第二足載台は、各々が退没状態で直交状態となり、各々が突出状態で両足載台が一直線状態にしている為、脚部の垂下姿勢で足載台による脹脛の施療と第二足載台による足先の施療が行なえ、両足載台が一直線状態にした場合には足載台と第二足載台により脹脛と足先の一連的な施療が行なえる。
【００１６】
更にまた、請求項４記載の本発明の二重足載台を備えた施療機は、前記第二足載台は、最退没状態で座部下面に収納できるようにしている為、椅子自体の搬送時や不使用時のように施療を要しない場合には、該二重足載台が邪魔にならないように収納させてコンパクトにしておく事ができる。
【００１７】
更に、請求項５記載の本発明の二重足載台を備えた施療機は、前記足載台と第二足載台との間に連繋機構を介設して、足載台と第二足載台とが共に連繋して出没するようにしている為、足載台と第二足載台とを常に連動出没させて、各々による快適な施療を施す事ができる。
【００１８】
また、請求項６記載の本発明の二重足載台を備えた施療機は、前記背凭れ部と第二足載台との間に連繋機構を介設して、前記背凭れ部の起伏に連動して足載台と第二足載台が共に出没するようにしている為、背凭れ部と足載台及び第二足載台とは、背凭れ部の倒伏角度に応じて常に最適な施療位置関係を保ちながら出没し、使用者の好みの着座状態でマッサージ手段による施療を適宜に施すことができる。
【００１９】
更にまた、請求項７記載の本発明の二重足載台を備えた施療機は、座部前部下方床面から座部と一定間隔を存した前方へ常時載置面が上面である状態で出没可能な第二足載台の基部に、これを足載台方向に回動し得る回動軸部を備えると共に、該回動軸部に足載台との回動状態を係止する回動係止部を設け、第二足載台の基部での回動がバネ制御されている為、背凭れ部の倒伏に応じて第二足載台自動突出した場合や、人為的に第二足載台を突出させた場合に、載置面を足載台と直角状になるよう回動維持及び元位置への復帰を容易に行なわせる事ができ、足載台と第二足載台が突出状態で一直線状態になった場合には、足載台と第二足載台により脹脛と足先の一連的な施療と、脹脛と足先の直交状の施療とを任意に選択して施す事ができるようになる。
【００２０】
更に、請求項８記載の本発明の二重足載台を備えた施療機は、前記背凭れ部にマッサージ手段を配設している為、上述した各作用に加えて、背凭れ部に配設されたマッサージ手段との相乗効果により、被施療者の所望する施療を任意に選択して、背部から脚部及び足先部に至るまでの広範囲の部位の施療を適宜に施す事ができる。
【００２１】
【発明の実施の形態】
以下に、本発明の二重足載台を備えた施療機を、図面に示す一実施形態に基づきこれを詳細に説明する。
図１は本発明の二重足載台を備えた施療機の一実施形態を示す斜視図であり、図２は本発明の二重足載台を備えた施療機の一実施形態を示す使用状態図であり、図３は本発明の二重足載台を備えた施療機の座部下内部の一実施形態を示す説明図であり、図４は本発明の二重足載台を備えた施療機の背凭れ部を倒伏し、足載台と第二足載台とを突出した状態の一実施形態を示す説明図であり、図５は本発明の二重足載台を備えた施療機の第二足載台を座部下部空間に収納した状態の一実施形態を示す説明図であり、図６は本発明の二重足載台を備えた施療機の背凭れ部の起伏と足載台と第二足載台との出没における関連を示した説明図であり、図７〜図９は本発明の二重足載台を備えた施療機の足載台と第二足載台に関する内部機構の一実施形態を示した部分説明図であり、図１０〜図１２は本発明の二重足載台を備えた施療機の第二足載台の他の実施形態を示した説明図であり、図１３〜図１７は本発明の二重足載台を備えた施療機の足載台の静止安定機構の一実施形態を示した説明図であり、図１８〜図２０は本発明の二重足載台を備えた施療機における背凭れ部と第二足載台が連動する状態の一実施形態を示す説明図であり、図２１と図２２は従来技術を示す参考図である。
【００２２】
すなわち、本発明の二重足載台を備えた施療機は、図１乃至図６の一実施形態で示したように、座部１０ａ前部で回動出没可能に配備された足載台２ａと、該足載台２ａを跨いで座部１０ａ前部下方床面から座部１０ａと一定間隔を存した前方へ常時載置面が上面である状態で出没可能な第二足載台３ａと、座部１０ａ後部で起伏自在に配設された背凭れ部１２ａとを備えた椅子１ａであって、該椅子１ａの足載台２ａ及び第二足載台３ａにマッサージ手段を配設すると共に、これら足載台２ａ及び第二足載台３ａを適宜に出没させる出没機構を介設して、足載台２ａと第二足載台３ａを各々独立して出没させる事ができるよう構成し、また、前記背凭れ部１２ａと第二足載台３ａとの間には連動機構を介設して、背凭れ部１２ａの起伏に連動して第二足載台３ａが出没するよう構成したものである。
【００２３】
前記椅子１ａには、使用者着座用の座部１０ａと、該座部１０ａの左右両側に夫々設けた肘掛け部１１ａと、前述したように、座部１０ａの後部で起伏自在に配設された背凭れ部１２ａとを備えている。
【００２４】
前記座部１０ａの前方においては、該座部１０ａ下部に骨組み構成される座枠１０１ａが設けられており、該座枠１０１ａの前端の回動軸部１３ａには、これを基準として前後に回動して出没可能な前述した足載台２ａが設けられていると共に、該足載台２ａを跨いで座部１０ａの前部下方床面から該座部１０ａと一定間隔を存した前方へ常時載置面が上面である状態で前後に回動して出没可能な前述した第二足載台３ａとが設けられている。
【００２５】
前記足載台２ａには、使用者の脚部を載置し得る足載台凹部２０ａが設けられており、該足載台凹部２０ａの内側各側面には、人体脚部である脛部を主に施療するための空気袋２２ａ（マッサージ手段）を夫々備えている。
【００２６】
また、前記第二足載台３ａにも、使用者の脚部足先や足裏を載置し得る第二足載台凹部３０ａが設けられており、該第二足載台凹部３０ａの内側各側面にも人体足先或いは足裏を施療するための空気袋３２ａ（マッサージ手段）が配備されている。
【００２７】
また、マッサージ手段である前記空気袋２２ａ及び空気袋３２ａには、給排ホース（図示せず）を介して、圧縮空気給排気用の圧縮空気給排装置（図示せず）が連通するよう座部１０ａ下部等に配備されており、該圧縮空気給排装置からの圧縮空気を給排ホースを介して各空気袋２２ａ及び各空気袋３２ａに給排して、これら各々を膨縮或いは膨張保持させて圧空施療を施す事ができるようにしている。
【００２８】
尚、前記空気袋２２ａ及び空気袋３２ａは、略々同一形状のものを足載台凹部２０ａや第二足載台凹部３０ａの内側各側面の長手方向に各々二列直列状に設けたものを例示しているが、これに限るものではなく、各空気袋２２ａ及び各空気袋３２ａの配置や大きさ及び形状は任意に決定されるものである。
【００２９】
また、前記足載台凹部２０ａや第二足載台凹部３０ａの形状においても、脚部や足先或いは足裏を載置できるようにするものであればどのような形状で有っても良く、限定されるものでは無い。
【００３０】
尚、前記各空気袋２２ａや各空気袋３２ａへの膨縮に係る指令は、マイコン制御等により適宜に行なわせる事ができるものである。
【００３１】
前記マッサージ手段としては、上記した空気袋２２ａ及び空気袋３２ａ等の空気袋による圧空施療に限るものではなく、振動機構や叩き機構或いはローリング機構の他、揉み機構等のマッサージを行なわせる機構の単独或いは複数を任意に組み合わせて採用したマッサージ手段であっても良い。
【００３２】
前記座部１０ａ下部に設けた前記座枠１０１ａは、その内部及び上部に有クッション性を有するウレタンや発砲スチロール等の任意の弾性部材を配備すると共に、該弾性部材の外周を布製や革製の生地で被覆して構成しており、該座部１０ａ内部には、人体太股を主に施療するための圧空機構、振動機構、叩き機構、ローリング機構、揉み機構等のマッサージ手段（図示せず）の単独或いは複数を必要に応じて任意に組み合わせて適宜に配備される。
【００３３】
また、前記背凭れ部１２ａは前述したように起伏可能に構成されており、該背凭れ部１２ａの起伏は、図３乃至図６に示したように、電動モータとジャッキ或いは螺軸を用いたアクチュエータ等の進退機構１２１ａにより背凭れ部倒伏回動軸部１２２ａを基軸として回動移動させる事ができるようにしており、これにより、背凭れ部１２ａは起立状態から傾斜状態及び倒伏状態に起伏させる事ができるようにしている。
【００３４】
前記進退機構１２１ａは、前記座枠１０１ａ下部に回動可能に連結され、進退機構１２１ａの至端と背凭れ部１２ａの下端に設けた背凭れ部下部回動連結部１２３ａとは回動可能に連結して構成している。
【００３５】
尚、前記背凭れ部１２ａは、進退機構１２１ａに代えて手動レバー（図示せず）によって任意に倒伏させるようにする事もできる。
【００３６】
前記背凭れ部１２ａの内部にはマッサージ手段が適宜に配設されており、該マッサージ手段としては、背凭れ部１２ａの上下方向に移動可能で、施療者に揉み施療や振動施療及びローリング施療等を施し得る揉み玉を備えた揉み玉施療機構１２５ａ（マッサージ手段）や、圧縮空気給排装置（図示せず）から給排気される圧縮空気により、膨縮或いは膨張保持することが可能な空気袋１２６ａを背凭れ部１２ａに任意に配設した圧空機構等が用いられており、目的に応じてこれらの機構を単独或いは複数を用いて適宜のマッサージ手段を構成させる事ができる。
【００３７】
また、前記左右肘掛け部１１ａの上面や内側面には、夫々人体手部或いは腕部を施療する為マッサージ手段（図示せず）を配設しても良く、また、前記座部１０ａ上面と各肘掛け部１１ａとの接触部近郊にも施療者の両脚を外部方向から内部方向へ施療する為のマッサージ手段（図示せず）を設けても良く、これらに配設されるマッサージ手段においても、前述したように、空気袋による圧空機構の他、振動機構や叩き機構或いはローリング機構や揉み機構等のマッサージを行なわせる機構の単独或いは複数を任意に組み合わせた任意のマッサージ手段が採用される。
【００３８】
前記足載台２ａは、図７に示した実施形態では、回動軸である回動軸部１３ａを基準として湾曲形成された左右一対のＵ字状リンク２１ａを介して回動して出没するよう構成したものを採用しており、該各Ｕ字状リンク２１ａの至端側に固定板２３ａを係止し、該固定板２３ａ表側面に足載台２ａが取り付けられているものを例示している。
【００３９】
前記回動軸部１３ａの内部には、図８に示したように前記Ｕ字状リンク２１ａを回動するための回動棒２６１ａが横架されており、また回動棒２６１ａの一端には手動レバー２６ａが連動するよう連結されている。
【００４０】
よって、前記手動レバー２６ａを前後に回動する事で、回動棒２６１ａを介してＵ字状リンク２１ａが回動軸部１３ａを基準として回動し、前記足載台２ａが前後に出没移動するのである。
【００４１】
次に、前記第二足載台３ａは、図７に示したように前記回動軸部１３ａから垂下し屈曲形成された左右一対のＬ字状リンク３１ａを介して該回動軸部１３ａを基準として回動して出没するよう構成したものを例示している。
【００４２】
前記回動軸部１３ａ内部には、図８に示したように該Ｌ字状リンク３１ａを回動するための回動棒３７１ａを横架しており、該回動棒３７１ａの一端には手動レバー３７ａが連動連結している。
【００４３】
よって、該手動レバー３７ａを前後に回動する事で、回動棒３７１ａを介してＬ字状リンク３１ａが回動軸部１３ａを基準として回動し、第二足載台３ａが前後に出没移動するのである。
【００４４】
足載台２ａ及び第二足載台３ａを上記したように構成する事で、使用者の要望に応じて前記手動レバー２６ａや前記手動レバー３７ａを適宜操作して、足載台２ａと第二足載台３ａを各々独立して出没させたり同時に出没させたりする事ができるのである。
【００４５】
前記足載台２ａと第二足載台３ａとの間には、これら両者が共に連繋しながら出没し得るよう、例えば図８に示すような橋架棒３５ａ（連繋機構）が介設されており、該橋架棒３５ａ（連繋機構）は、左右一対の前記Ｌ字状リンク３１ａ・３１ａ間に架設支持されており、第二足載台３ａが前方に回動突出する際に、第二足載台３ａの橋架棒３５ａ（連繋機構）が足載台２ａの裏面側に係止された前記固定板２３ａに当接すると共に前方へ回動するよう押し上げ、これらが連繋した状態で同時に回動して突出するようにしている。
【００４６】
前記第二足載台３ａの前記Ｌ字状リンク３１ａの回動は、上述したような前記手動レバー３７ａによる手動の他にも、図９に示したような電動モータとジャッキ或いは螺軸により構成されるアクチュエータ等の進退機構３４ａを用いて回動させ出没させるようにする事もできる。
【００４７】
前記進退機構３４ａには、至端側に進退自在な棒状の進退棒３４１ａが配備されており、進退機構３４ａの基端側を前記座部１０ａの前記座枠１０１ａ下部に枢止すると共に、その至端側の進退棒３４１ａを前記Ｌ字状リンク３１ａの略々中央部の中間回動連結部３１１ａに枢止して、進退機構３４ａの進退棒３４１ａの進退移動に連動してＬ字状リンク３１ａが回動し、前記第二足載台３ａを出没させるのである。
【００４８】
すなわち、図６に示したように、前記第二足載台３ａの左右一対のＬ字状リンク３１ａ・３１ａ間に架設支持された前記橋架棒３５ａ（連繋機構）は、Ｌ字状リンク３１ａの回動により前記足載台２ａの固定板２３ａ（連繋機構）に係止して連動し、第二足載台３ａは足載台２ａと連繋しながら共に前方へ突出する。
【００４９】
そして、突出した第二足載台３ａを進退機構３４ａで元位置に後退させた場合には、第二足載台３ａも元位置に復帰して後退するのであるが、足載台２ａはその突出状態を維持しており、これを後退させる場合には、手動レバー２６ａにより元位置に復帰させる事ができる。
【００５０】
尚、前記連繋機構を、前記固定板２３ａ（連繋機構）の下端に橋架棒３５ａ（連繋機構）と係止し得る係止片（図示せず）を設けた連繋機構や、固定板２３ａ（連繋機構）の下端に橋架棒３５ａ（連繋機構）と磁着し得るよう磁力を備えた係止片（図示せず）を設けた連繋機構を採用する事により、第二足載台３ａを進退機構３４ａで元位置に後退させた場合に、第二足載台３ａと共に足載台２ａも連繋して両者を同時に後退させる事ができる。
【００５１】
前記第二足載台３ａの底部四隅には、図１や図３に示したように床面に沿って回転し得る回転輪３３ａを夫々備えており、これにより、第二足載台３ａが床面を前後になめらかに移動し、床面や第二足載台３ａ底部の衝撃による損傷を防止する事ができる。
【００５２】
前記第二足載台３ａは、図５及び図６に示した如く前記Ｌ字状リンク３１ａの至端側の至端回動連結部３１２ａを介して前後方向に回動可能に連結されている。
【００５３】
また、前記第二足載台３ａは、Ｌ字状リンク３１ａが垂下状態では床面と水平で有り、Ｌ字状リンク３１ａが水平状態でも床面と水平であり、常時第二足載台３ａの載置面が上面である状態を維持できるよう、その至端回動連結部３１２ａで第二足載台３ａの回動を制限しながら出没可能にしている。
【００５４】
よって、足載台２ａと第二足載台３ａとの出没は、図３に示したように、各々が退没した通常の状態では直交状態となり、さらに図４に図示するように各々が突出したリラックス状態にした場合には、前記至端回動連結部３１２ａを基準として前記足載台２ａに対し前回りに回動し、足載台２ａと第二足載台３ａとは一直線状態となる。
【００５５】
図１０乃至図１２は、前記第二足載台３ａの前記至端回動連結部３１２ａを基軸とする回動を、バネ３１６ａによって制御するようにしたものを例示したものであり、該制御の構成は、前記Ｌ字状リンク３１ａの至端である前記至端回動連結部３１２ａに前記第二足載台３ａと連動回動する至端回動軸部３１５ａを備え、該至端回動軸部３１５ａにバネ３１６ａの基端を係止するための回動係止部３１３ａを設けている。
【００５６】
そして、Ｌ字状リンク３１ａの屈曲部付近には、バネ３１６ａの至端を係止するための固定係止部３１４ａを備えており、該固定係止部３１４ａと回動係止部３１３ａとをバネ３１６ａにより連結している。
【００５７】
上記の制御構成により、前記バネ３１６ａの付勢力を利用して第二足載台３ａの前記至端回動連結部３１２ａを基軸として、第二足載台３ａを前回りに回動させたり後回りに回動させたりする事で、足載台２ａと第二足載台３ａとの各々を直交状態や一直線状態にする事ができる。
【００５８】
特に、図１１に示したような、足載台２ａと第二足載台３ａとの各々を直交状態にして脹脛と足先部を施療した後、図１２に示したように、足載台２ａと第二足載台３ａとを一直線状態になるよう前記バネ３１６ａの不勢力を利用して前記至端回動連結部３１２ａを基準として第二足載台３ａを前回りに回動させ、脹脛と足首部等を一連的に施療する事ができるのである。
【００５９】
すなわち、前記至端回動連結部３１２ａを基軸とする第二足載台３ａの回動をバネ３１６ａによって制御させるようにする事により、図１２に示したように、第二足載台３ａを前記足載台２ａと共に突出した状態においても、足載台２ａと第二足載台３ａの各々を直交状態や一直線状態かのどちらかの状態に任意に切り替えできるものであり、またその状態を前記バネ３１６ａの付勢力によって保持する事ができるのである。
【００６０】
図５は、前記Ｌ字状リンク３１ａの後方への回動により、第二足載台３ａが前記座部１０ａの下部空間である座部下部空間１０２ａに収納できるようにした場合の構成を例示したものであり、このような構成にする事により、椅子１ａの搬送時や人体足先への施療を必要でない時に、前記進退機構３４ａにより該Ｌ字状リンク３１ａを最後方へ回動移動して使用者の足下を開放することができるのである。
【００６１】
尚、前記椅子１ａの不使用時における第二足載台３ａの収納は、制御手段（図示せず）により制御やリモコン操作により、任意に行なわせる事ができる。
【００６２】
図１３乃至図１６は、前記足載台２ａが突出した後、該足載台２ａが静止安定するための静止安定機構２４ａを備えたものを例示している。
【００６３】
前記静止安定機構２４ａは、図１３及び図１４に示したように前記回動リンク２４１ａとスライド溝付きリンク２４２ａと棒状リンク２４５ａとで構成している。
【００６４】
前記回動リンク２４１ａは、前記回動棒２６１ａと連動連結されており、前記回動軸部１３ａを基準として回動する。また、前記座枠１０１ａの下部には座枠下回動連結部１０３ａを介して回動可能に連結する前記スライド溝付きリンク２４２ａが設けられている。
【００６５】
前記スライド溝付きリンク２４２ａには、その長さ方向にスライド溝２４３ａが穿設されており、該スライド溝２４３ａには、該溝２４３ａ内で滑らかにスライドし得るスライド回動連結部２４４ａが設けられており、該スライド回動連結部２４４ａは前記回動リンク２４１ａの至端と回動可能に連結され、スライド溝付きリンク２４２ａの至端は、リンク間回動連結部２４６ａを介して前記棒状リンク２４５ａと回動可能に連結され、前記足載台２ａの裏側に係止する前記固定板２３ａ（連繋機構）の下部と固定板下部回動連結部２５ａとを介して棒状リンク２４５ａの他端とが回動可能に連結されている。
【００６６】
上記のような構成により、手動レバー２６ａをその回動が止まるまで回動させて、前記足載台２ａが前方へ突出させる事により、前記静止安定機構２４ａが連動し、該足載台２ａは最突出した状態で静止安定する事になる。
【００６７】
すなわち、手動レバー２６ａを足載台２ａが前方へ突出する方向に回動する事で、これに連動回動する前記回動棒２６１ａは、前記回動軸部１３ａを基軸として前記回動リンク２４１ａを連動回動させると共に、該回動リンク２４１ａの至端に回動可能に連結したスライド回動連結部２４４ａが前記スライド溝付きリンク２４２ａの前記スライド溝２４３ａの内部で連結保持されながら該スライド溝２４３ａの内部を滑らかに移動するので、前記座枠１０１ａの下部にある前記座枠下回動連結部１０３ａを介して回動可能に連結するスライド溝付きリンク２４２ａは前方へ回動移動する事になり、それに伴って該スライド溝付きリンク２４２ａの至端に前記リンク間回動連結部２４６ａを介して回動可能に連結する前記棒状リンク２４５ａを前方に押し出すと共に、該棒状リンク２４５ａの他端と回動可能に連結する前記固定板下部回動連結部２５ａも押し出す事となり、足載台２ａは突出されるのである。
【００６８】
そして、図１５に示したように、前記スライド溝付きリンク２４２ａの至端と前記棒状リンク２４５ａとを回動可能に連結する前記リンク間回動連結部２４６ａが、前記足載台２ａの裏面に係止する前記固定板２３ａ（連繋機構）の裏面に当接するまで該スライド溝付きリンク２４２ａが回動した時、該足載台２ａの自重により該足載台２ａは静止安定する事になる。
【００６９】
すなわち、図１６に示したように、前記固定板下部回動連結部２５ａと前記座枠下回動連結部１０３ａとを結ぶ仮想線Ｓ１よりも該リンク間回動連結部２４６ａが上位置となる位置関係となる事により、前記静止安定機構２４ａは作動した状態となり、該足載台２ａは静止安定するのである。
【００７０】
また、前記静止安定機構２４ａを解除する場合は、前記手動レバー２６ａを前記足載台２ａが後方へ後退する方向に回動させ、前記回動リンク２４１ａを後方回動させると共に前記スライド溝付きリンク２４２ａを後方へ回動し、前記リンク間回動連結部２４６ａが図１６に示した如く前記固定板下部回動連結部２５ａと前記座枠下回動連結部１０３ａとを結ぶ仮想線Ｓ１よりも下位置となる位置関係となった状態で、前記静止安定機構２４ａは解除された状態となり、足載台２ａは再び回動移動可能となり、該足載台２ａの自重により後方へ後退する事になる。
【００７１】
更に、図１７に示すように、前記第二足載台３ａが前方へ突出させて、前記静止安定機構２４ａにより最突出した状態で静止安定している足載台２ａを下から上にかけて押し上げる事により、静止安定機構２４ａは解除され、足載台２ａは再び回動移動可能となるようにしている。
【００７２】
すなわち、前記第二足載台３ａを前記進退機構３４ａにて前方へ突出させて前記左右一対の各Ｌ字状リンク３１ａを橋架連結した前記橋架棒３５ａ（連繋機構）が、前方に最突出している前記足載台２ａの裏面に係止している固定板２３ａ（連繋機構）を押し上げると共に、これをさらに上方へ押し上げる事により、前記リンク間回動連結部２４６ａは前記固定板下部回動連結部２５ａと前記座枠下回動連結部１０３ａとを結ぶ仮想線Ｓ１よりも下位置に移動するため、前記静止安定機構２４ａは解除される事になる。
【００７３】
そして、該第二足載台３ａを後方へ後退するに伴って該静止安定機構２４ａが解除された足載台２ａは、固定板２３ａ（連繋機構）が第二足載台３ａの橋架棒３５ａ（連繋機構）を押し上げながら自重により第二足載台３ａと共に後方へ後退する事になるのである。
【００７４】
図１８及び図１９は、連動機構を介して前記背凭れ部１２ａの倒伏に連動しつつ、足載台２ａと第二足載台３ａとが共に連繋して出没するようにしたものを例示している。尚、この実施形態では、背凭れ部１２ａと第二足載台３ａとの連動機構を、後述する背凭れ部下部回動連結部１２３ａと棒状リンク１２４ａ及び収納用進退機構３６ａとＬ字状リンク３１ａの中間回動連結部３１１ａとを利用して構成した場合を例示している。
【００７５】
前記背凭れ部１２ａは、上述したように前記背凭れ部倒伏回動軸部１２２ａを基軸として該背凭れ部１２ａの下端に設けた背凭れ部下部回動連結部１２３ａと回動可能に連結する前記進退機構１２１ａにて前後に倒伏するのであるが、該背凭れ部下部回動連結部１２３ａ（連動機構）と前記第二足載台３ａを前記座部下部空間１０２ａに収納するための収納用進退機構３６ａ（連動機構）は、棒状リンク１２４ａ（連動機構）を介して回動可能に夫々連結されており、該収納用進退機構３６ａ（連動機構）の他端は前記Ｌ字状リンク３１ａ（連動機構）の中間回動連結部３１１ａ（連動機構）と回動可能に連結されている。
【００７６】
上記のような構成を採用する事により、前記背凭れ部１２ａを前記進退機構１２１ａによって倒伏させる時、前記背凭れ部下部回動連結部１２３ａに回動可能に連結する前記棒状リンク１２４ａを前方へ押し出すと共に前記収納用進退機構３６ａも押し出され、中間回動連結部３１１ａを介して前記Ｌ字状リンク３１ａも前方へ押し出されるので、前記第二足載台３ａは該背凭れ部１２ａと連動して前方へ突出し、前記連繋機構である前記橋架棒３５ａ（連繋機構）によって前記足載台２ａをも第二足載台３ａと連繋して突出する事になる。
【００７７】
尚、収納用進退機構３６ａは、図２０に示したように第二足載台３ａを前記座部下部空間１０２ａに収納する時に主に作動するようにしている。
【００７８】
【発明の効果】
よって本発明の二重足載台を備えた施療機は、座部後部で起伏自在に配設された背凭れ部を備えた椅子に、座部前部で回動出没可能に配備された足載台と、該足載台を跨いで座部前部下方床面から座部と一定間隔を存した前方へ常時載置面が上面である状態で出没可能な第二足載台とを備え、足載台及び第二足載台にマッサージ手段を内装すると共にこれらを適宜に出没させる出没機構を介設して、足載台と第二足載台を各々独立して出没させて施療する事ができるようにしている為、足載台と足先用足載台とを一体的に連結された従来の施療機とは異なり、足載台と第二足載台により人体脚部である脛部から足先或いは足裏までの広範囲を施療する事ができるだけでなく、使用者の所望に応じて足載台又は第二足載台のどちらか片方だけを上げて施療する事ができるので、人体脚部に対する多様な施療形態を実現できる。
【００７９】
また、本発明の二重足載台を備えた施療機は、座部後部で起伏自在に配設された背凭れ部を備えた椅子に、座部前部で回動出没可能に配備された足載台と、該足載台を跨いで座部前部下方床面から座部と一定間隔を存した前方へ常時載置面が上面である状態で出没可能な第二足載台とを備え、足載台及び第二足載台にマッサージ手段を内装すると共に前記背凭れ部と第二足載台との間に連動機構を介設して、背凭れ部の起伏に連動して第二足載台が出没するようにしている為、従来の施療機とは異なり、背凭れ部の起伏角度に応じて第二足載台は最適な施療角度に自動的に突出させる事ができ、且つ、足載台は独立して出没させる事ができる為に背凭れ部の起伏に左右されずに足載台だけを出没させて頚部のみにマッサージ手段による施療を施す事もでき、しかも背凭れ部を倒伏させて、これに連動する第二足載台と足載台とを共に突出させることにより人体脚部である脛部から足先までの広範囲の脚部施療を自動的に施す事ができる。
【００８０】
更に、本発明の二重足載台を備えた施療機は、足載台と第二足載台は、各々が退没した状態で直交状態となり、各々が突出状態で両足載台が一直線状態にしている為、脚部の垂下姿勢で足載台による脹脛の施療と第二足載台による足先の施療が行なえ、両足載台が一直線状態にした場合には、足載台と第二足載台により脹脛と足先の一連的な施療が行なえる。尚、この場合に、背凭れ部を倒伏させれば、更にリラックスした状態で脹脛と足先の一連的な施療が行なえる。
【００８１】
更にまた、本発明の二重足載台を備えた施療機は、第二足載台が最退没状態で座部下面に収納できるようにしている為、従来の施療機とは異なり、椅子自体の搬送時や不使用時のように施療を要しない場合には、該二重足載台が邪魔にならないように収納させてコンパクトにしておく事ができる。
【００８２】
更に、本発明の二重足載台を備えた施療機は、足載台と第二足載台との間に連繋機構を介設して、足載台と第二足載台とが共に連繋して出没するようにしている為、足載台を単独に出没させる事ができると共に第二足載台の出没に連動して常時足載台を出没させる事もでき、従来の施療機とは異なり、各々による快適な施療を施す事ができる。
【００８３】
また、本発明の二重足載台を備えた施療機は、前記背凭れ部と第二足載台との間に連繋機構を介設して、前記背凭れ部の起伏に連動して足載台と第二足載台が共に出没するようにしている為、従来の施療機とは異なり、足載台と第二足載台は、背凭れ部の倒伏角度に応じて常に最適な施療位置関係を保ちながら出没させて各マッサージ手段による施療を適宜に施すことができる。
【００８４】
更にまた、本発明の二重足載台を備えた施療機は、座部前部下方床面から座部と一定間隔を存した前方へ常時載置面が上面である状態で出没可能な第二足載台の基部に、これを足載台方向に回動し得る回動軸部を備えると共に、該回動軸部に足載台との回動状態を係止する回動係止部を設け、第二足載台の基部での回動がバネ制御されている為、従来の施療機とは異なり、背凭れ部の倒伏に応じて第二足載台自動突出した場合や、人為的に第二足載台を突出させた場合に、載置面を足載台と直角状になるよう回動維持及び元位置への復帰を容易に行なわせる事ができ、足載台と第二足載台が突出状態で一直線状態になった場合には、足載台と第二足載台により脹脛と足先の一連的な施療と、脹脛と足先の直交状の施療とを任意に選択して施す事ができるようになる。尚、この場合に、背凭れ部を連動して倒伏するようにしている場合には、脹脛と足先の一連的な上記各施療が更にリラックスした状態で行なえる。
【００８５】
更に、本発明の二重足載台を備えた施療機は、前記背凭れ部にマッサージ手段を配設している為、上述した各作用に加えて、背凭れ部に配設されたマッサージ手段との相乗効果により、被施療者の所望する施療を任意に選択して、背部から脚部及び足先部に至るまでの広範囲の部位の施療を適宜に施す事ができる。
【図面の簡単な説明】
【図１】本発明の二重足載台を備えた施療機の一実施形態を示す斜視図である。
【図２】本発明の二重足載台を備えた施療機の一実施形態を示す使用状態図である。
【図３】本発明の二重足載台を備えた施療機の座部下内部の一実施形態を示す説明図である。
【図４】本発明の二重足載台を備えた施療機の背凭れ部を倒伏し、足載台と第二足載台とを突出した状態の一実施形態を示す説明図である。
【図５】本発明の二重足載台を備えた施療機の第二足載台を座部下部空間に収納した状態の一実施形態を示す説明図である。
【図６】本発明の二重足載台を備えた施療機の背凭れ部の起伏と足載台と第二足載台との出没における関連を示した説明図である。
【図７】本発明の二重足載台を備えた施療機の足載台と第二足載台に関する内部機構の一実施形態を示した部分説明図である。
【図８】本発明の二重足載台を備えた施療機の足載台と第二足載台に関する内部機構の一実施形態を示した部分説明図である。
【図９】本発明の二重足載台を備えた施療機の足載台と第二足載台に関する内部機構の一実施形態を示した部分説明図である。
【図１０】本発明の二重足載台を備えた施療機の第二足載台の他の実施形態を示した説明図である。
【図１１】本発明の二重足載台を備えた施療機の第二足載台の他の実施形態を示した説明図である。
【図１２】本発明の二重足載台を備えた施療機の第二足載台の他の実施形態を示した説明図である。
【図１３】本発明の二重足載台を備えた施療機の足載台の静止安定機構の一実施形態を示した説明図である。
【図１４】本発明の二重足載台を備えた施療機の足載台の静止安定機構の一実施形態を示した説明図である。
【図１５】本発明の二重足載台を備えた施療機の足載台の静止安定機構の一実施形態を示した説明図である。
【図１６】本発明の二重足載台を備えた施療機の足載台の静止安定機構の一実施形態を示した説明図である。
【図１７】本発明の二重足載台を備えた施療機の足載台の静止安定機構の一実施形態を示した説明図である。
【図１８】本発明の二重足載台を備えた施療機における背凭れ部と第二足載台が連動する状態の一実施形態を示す説明図である。
【図１９】本発明の二重足載台を備えた施療機における背凭れ部と第二足載台が連動する状態の一実施形態を示す説明図である。
【図２０】本発明の二重足載台を備えた施療機における背凭れ部と第二足載台が連動する状態の一実施形態を示す説明図である。
【図２１】従来技術を示す参考図である。
【図２２】従来技術を示す参考図である。
【符号の説明】
１ａ  椅子
１０ａ  座部
１１ａ  肘掛け部
１２ａ  背凭れ部
１２１ａ  進退機構
１２３ａ  背凭れ部下部回動連結部（連動機構）
１２４ａ  棒状リンク（連動機構）
１２５ａ  揉み玉施療機構（マッサージ手段）
１２６ａ  空気袋（マッサージ手段）
２ａ  足載台
２０ａ  足載台凹部
２２ａ  空気袋（マッサージ手段）
２３ａ  固定板（連携機構）
２４ａ  静止安定機構
２６ａ  手動レバー
３ａ  第二足載台
３０ａ  第二足載台凹部
３１ａ  Ｌ字状リンク（連動機構）
３１１ａ  中間回動連結部（連動機構）
３１２ａ  至端回動連結部
３１３ａ  回動係止部
３１４ａ  固定係止部
３１５ａ  至端回動軸部
３１６ａ  バネ
３２ａ  空気袋（マッサージ手段）
３４ａ  進退機構
３４１ａ  進退棒
３５ａ  橋架棒（連携機構）
３６ａ  収納用進退機構（連動機構）
３７ａ  手動レバー
【図１】
2005058274.tif 000003
【図２】
2005058274.tif 000004
【図３】
2005058274.tif 000005
【図４】
2005058274.tif 000006
【図５】
2005058274.tif 000007
【図６】
2005058274.tif 000008
【図７】
2005058274.tif 000009
【図８】
2005058274.tif 000010
【図９】
2005058274.tif 000011
【図１０】
2005058274.tif 000012
【図１１】
2005058274.tif 000013
【図１２】
2005058274.tif 000014
【図１３】
2005058274.tif 000015
【図１４】
2005058274.tif 000016
【図１５】
2005058274.tif 000017
【図１６】
2005058274.tif 000018
【図１７】
2005058274.tif 000019
【図１８】
2005058274.tif 000020
【図１９】
2005058274.tif 000021
【図２０】
2005058274.tif 000022
【図２１】
2005058274.tif 000023
【図２２】
2005058274.tif 000024